(57)【要約】【課題】デジタル放送とアナログ放送との出力放送の切り替えを、放送番組の継続視聴を可能にしてタイミングよく適切に行うことにある。【解決手段】デジタルＴＶチューナに受信されたデジタルＴＶ放送及びアナログＴＶチューナに受信されたアナログＴＶ放送の何れか一方が選択的に表示器に表示出力されるように切替機の切り替えを行う際に、デジタルＴＶ放送とアナログＴＶ放送との遅延時間差に応じて、アナログＴＶチューナに受信されたアナログＴＶ放送を遅延させて出力する。具体的には、アナログＴＶ放送からデジタルＴＶ放送への切り替え時は、その切り替え前に、アナログＴＶ放送を受信後にストレージしたうえで間引きして出力する。また、デジタルＴＶ放送からアナログＴＶ放送への切り替え時は、アナログＴＶ放送のデータを受信後にストレージしたうえで、その切り替え以後にアナログＴＶ放送を短縮して出力する。【選択図】図４
2007116559.tif 000002
【特許請求の範囲】
【請求項１】
アナログ放送受信機と、デジタル放送受信機と、アナログ放送受信機に受信されたアナログ放送及びデジタル放送受信機に受信されたデジタル放送の何れか一方が選択的に出力されるように出力放送を切り替える放送切替手段と、を備える放送受信装置であって、
少なくとも前記放送切替手段による出力放送の切り替えが行われる際に、アナログ放送受信機又はデジタル放送受信機に受信された一方の放送を遅延させて出力する遅延出力手段を備えることを特徴とする放送受信装置。
【請求項２】
前記遅延出力手段による放送の遅延出力を実現すべく、遅延させる一方の放送のデータを保存する保存手段を備えることを特徴とする請求項１記載の放送受信装置。
【請求項３】
前記遅延出力手段は、前記放送切替手段による出力放送の切り替えが行われる前に、アナログ放送とデジタル放送との遅延差に応じて、アナログ放送受信機又はデジタル放送受信機に受信された一方の放送を間引きして出力することを特徴とする請求項１又は２記載の放送受信装置。
【請求項４】
アナログ放送とデジタル放送との間の出力放送の切り替えを予測する切替タイミング予測手段を備え、
前記遅延出力手段は、前記切替タイミング予測手段により前記切り替えが予測された場合、該予測された切り替え前に、アナログ放送とデジタル放送との遅延差に応じて、アナログ放送受信機又はデジタル放送受信機に受信された一方の放送を間引きして出力することを特徴とする請求項３記載の放送受信装置。
【請求項５】
前記切替タイミング予測手段は、自車両の現在位置と自車両が今後走行すると予想される地域における放送受信環境との関係に基づいて、前記切り替えを予測することを特徴とする車両に搭載される請求項４記載の放送受信装置。
【請求項６】
前記遅延出力手段は、前記放送切替手段による出力放送の切り替えが行われた以後、アナログ放送とデジタル放送との遅延差に応じて、アナログ放送受信機又はデジタル放送受信機に受信された一方の放送を遅延させたうえで短縮して出力することを特徴とする請求項１又は２記載の放送受信装置。
【請求項７】
通信ネットワークを介して所定の放送受信レコーダに通信接続可能な通信手段と、
アナログ放送受信機及びデジタル放送受信機の何れにも所望番組の放送が受信されないとき、前記通信手段から通信ネットワークを介して所定の放送受信レコーダへ該所望番組のレコードを指示するレコード制御手段と、
を備えることを特徴とする請求項１乃至６記載の放送受信装置。
【発明の詳細な説明】
【技術分野】
【０００１】
本発明は、放送受信装置に係り、特に、アナログ放送とデジタル放送とを共に受信することが可能であり、かつ、アナログ放送とデジタル放送との何れか一方を選択的に出力することが可能な放送受信装置に関する。
【背景技術】
【０００２】
従来から、車両に搭載され、アナログ放送受信機と、デジタル放送受信機と、を備え、アナログ放送受信機に受信されたアナログ放送及びデジタル放送受信機に受信されたデジタル放送の何れか一方が選択的に出力されるように出力放送を切り替える放送受信装置が知られている（例えば、特許文献１参照）。デジタル放送は、アナログ放送に比べて、映像・音声の品質の良い放送であるが、受信環境に対するしきい値が低く、受信レベルがあるしきい値以下に低下すると全く受信できないという特質を有している。一方、アナログ放送は、デジタル放送に比べて、映像・音声の品質の劣る放送であるが、受信環境に対するしきい値が高く、ある程度劣悪な受信環境下でも受信することが可能である。
【０００３】
上記従来の受信装置において、デジタル放送が受信されて出力されている状況でそのデジタル放送が受信レベルの低下によって受信不可能となった場合には、出力放送がデジタル放送からアナログ放送に自動的に切り替わる。一方、アナログ放送が受信されて出力されている状況でデジタル放送が受信レベルの上昇によって受信可能になった場合には、出力放送がアナログ放送からデジタル放送に自動的に切り替わる。このため、上記従来の受信装置によれば、高品質のデジタル放送を出力する機会をできるだけ確保しつつ、放送が全く出力されなくなる期間を少なくすることができる。
【特許文献１】特開２００１−３０９２５４号公報
【発明の開示】
【発明が解決しようとする課題】
【０００４】
ところで、デジタル放送は、大量の画像データなどを圧縮・エンコードして放送するものであるので、アナログ放送と比較して、放送局側からの放送が遅延する。また、デジタル放送は、受信機での受信後、誤り検出・誤り訂正を行ったうえで復調処理を行い利用者へ向けて出力するものであるので、アナログ放送と比較して、受信から再生出力までに多くの時間が必要となり、受信機からの出力遅延が生ずる。このため、上記の如く出力放送がデジタル放送とアナログ放送とで切り替わる放送受信装置では、その出力放送の切り替え時に出力放送の番組内容が重なったり或いは跳んだりする不都合が生じ得る。
【０００５】
本発明は、上述の点に鑑みてなされたものであり、デジタル放送とアナログ放送との出力放送の切り替えを、放送番組の継続視聴を可能にしてタイミングよく適切に行うことが可能な放送受信装置を提供することを目的とする。
【課題を解決するための手段】
【０００６】
上記の目的は、アナログ放送受信機と、デジタル放送受信機と、アナログ放送受信機に受信されたアナログ放送及びデジタル放送受信機に受信されたデジタル放送の何れか一方が選択的に出力されるように出力放送を切り替える放送切替手段と、を備える放送受信装置であって、少なくとも前記放送切替手段による出力放送の切り替えが行われる際に、アナログ放送受信機又はデジタル放送受信機に受信された一方の放送を遅延させて出力する遅延出力手段を備える放送受信装置により達成される。
【０００７】
この態様の発明において、少なくともアナログ放送とデジタル放送とで出力放送の切り替えが行われる際、受信された一方の放送が遅延されて出力される。このため、アナログ放送とデジタル放送とで、放送局からの送信から受信装置での受信・出力までに遅延差が生じているときにも、受信装置での出力放送の切り替え時にその遅延差が吸収されるので、出力放送の番組内容が重なったり或いは跳んだりすることは回避される。
【０００８】
ところで、上記した放送受信装置において、前記遅延出力手段による放送の遅延出力を実現すべく、遅延させる一方の放送のデータを保存する保存手段を備えることとすれば、受信した放送を一旦保存手段に保存するので、遅延した出力を行うことが可能となる。
【０００９】
また、上記した放送受信装置において、前記遅延出力手段は、前記放送切替手段による出力放送の切り替えが行われる前に、アナログ放送とデジタル放送との遅延差に応じて、アナログ放送受信機又はデジタル放送受信機に受信された一方の放送を間引きして出力することとすれば、出力放送の切り替え時にアナログ放送とデジタル放送との遅延差が吸収されるので、出力放送の番組内容が重なったり或いは跳んだりすることは回避される。
【００１０】
この場合、アナログ放送とデジタル放送との間の出力放送の切り替えを予測する切替タイミング予測手段を備え、前記遅延出力手段は、前記切替タイミング予測手段により前記切り替えが予測された場合、該予測された切り替え前に、アナログ放送とデジタル放送との遅延差に応じて、アナログ放送受信機又はデジタル放送受信機に受信された一方の放送を間引きして出力することとすればよい。
【００１１】
また、この場合、放送受信装置が車両に搭載されるときには、前記切替タイミング予測手段は、自車両の現在位置と自車両が今後走行すると予想される地域における放送受信環境との関係に基づいて、前記切り替えを予測することとすればよい。
【００１２】
更に、上記した放送受信装置において、前記遅延出力手段は、前記放送切替手段による出力放送の切り替えが行われた以後、アナログ放送とデジタル放送との遅延差に応じて、アナログ放送受信機又はデジタル放送受信機に受信された一方の放送を遅延させたうえで短縮して出力することとすれば、出力放送の切り替え時にアナログ放送とデジタル放送との遅延差が吸収されるので、出力放送の番組内容が重なったり或いは跳んだりすることは回避される。
【００１３】
尚、上記した放送受信装置において、通信ネットワークを介して所定の放送受信レコーダに通信接続可能な通信手段と、アナログ放送受信機及びデジタル放送受信機の何れにも所望番組の放送が受信されないとき、前記通信手段から通信ネットワークを介して所定の放送受信レコーダへ該所望番組のレコードを指示するレコード制御手段と、を備えることとすれば、例えば車両に搭載された放送受信装置のアナログ放送受信機及びデジタル放送受信機の何れにも所望番組の放送が受信不可能であるとき、家庭にある放送受信レコードへその所望番組のレコードが指示されるので、車内で視聴できなかった放送番組を家に戻ってから視聴することが可能となる。
【発明の効果】
【００１４】
本発明によれば、デジタル放送とアナログ放送との出力放送の切り替えを、放送番組の継続視聴を可能にしてタイミングよく適切に行うことができる。
【発明を実施するための最良の形態】
【００１５】
図１は、本発明の一実施例である放送受信装置１０のシステム構成図を示す。本実施例の放送受信装置１０は、車両に搭載されており、各放送局から中継局等を介して送信される地上波デジタルテレビジョン放送（以下、デジタルＴＶ放送）及び地上波アナログテレビジョン放送（以下、アナログＴＶ放送）を受信し、車両乗員に出力するための装置である。
【００１６】
図１に示す如く、放送受信装置１０は、デジタルＴＶ放送の放送波を受信するためのデジタルＴＶチューナ１２、及び、アナログＴＶ放送の放送波を受信するためのアナログＴＶチューナ１４を備えている。デジタルＴＶチューナ１２は、アンテナ１６に受信されたデジタルＴＶ放送波信号を検波し、受信信号の誤り訂正を行った後に、映像・音声信号を出力する。また、アナログＴＶチューナ１４は、アンテナ１８に受信されたアナログＴＶ放送波信号を検波し、映像・音声信号を出力する。
【００１７】
デジタルＴＶチューナ１２及びアナログＴＶチューナ１４には、ＣＰＵ（中央演算処理装置）２０が接続されている。デジタルＴＶチューナ１２は、アンテナ１６でデジタルＴＶ放送波信号を受信した場合、映像・音声信号の出力状況やビット誤り率，キャリアレベル等に基づいて、そのデジタルＴＶ放送の受信状態（例えば受信率など）をＣＰＵ２０に通知する。また、アナログＴＶチューナ１４は、アンテナ１８でアナログＴＶ放送波信号を受信した場合、映像の同期信号や音声信号の有無やキャリアレベル等に基づいて、そのアナログＴＶ放送の受信状態（例えば受信率など）をＣＰＵ２０に通知する。ＣＰＵ２０は、デジタルＴＶチューナ１２からの通知に基づいてデジタルＴＶ放送の受信状態を判定し、また、アナログＴＶチューナ１４からの通知に基づいてアナログＴＶ放送の受信状態を判定する。
【００１８】
デジタルＴＶチューナ１２にはストレージ２２及び切替機２６を介して、また、アナログＴＶチューナ１４にはストレージ２４及び切替機２６を介して、車両乗員が視認可能な表示器２８が接続されている。ストレージ２２，２４及び切替機２６には、上記のＣＰＵ２０が接続されている。ストレージ２２は、ＨＤＤ（ハードディスク）などにより構成されており、ＣＰＵ２０からの指令に従ってデジタルＴＶチューナ１２に受信された映像・音声のデータを保存する機能を有している。また、ストレージ２４は、ＨＤＤなどにより構成されており、ＣＰＵ２０からの指令に従ってアナログＴＶチューナ１４に受信された映像・音声のデータを保存する機能を有している。切替機２６は、ＣＰＵ２０からの指令に従って、表示器２８に表示しスピーカから音声出力する映像・音声を、デジタルＴＶチューナ１２側のものとアナログＴＶチューナ１４側のものとに選択的に切り替える機能を有している。表示器２８は、切替機２６の状態に応じて、デジタルＴＶチューナ１２に受信されたデジタルＴＶ放送及びアナログＴＶチューナ１４に受信されたアナログＴＶ放送の何れか一方を選択的に表示出力する。
【００１９】
また、放送受信装置１０は、地図データベース３２が接続するナビゲーションＥＣＵ３４を有している。地図データベース３２には、道路地図を示す情報が格納されている。ナビゲーションＥＣＵ３４は、自己の有するＧＰＳ受信機に受信される信号等に基づいて、地図データベース３２に格納されている道路地図を参照することにより、自車両が存在する現在位置を検出し、そして、その現在位置を上記した表示器２８に表示した道路地図に合わせて重畳表示する。また、目的地までの経路が特定されたときには、その経路を表示器２８に表示した道路地図に重畳表示する。
【００２０】
上記の地図データベース３２には、上記のＣＰＵ２０が接続されている。ＣＰＵ２０の判定するデジタルＴＶ放送の受信状態及びアナログＴＶ放送の受信状態は共に、地図データベース３２へ供給される。地図データベース３２には、ナビゲーションＥＣＵ３４で検出される自車両の現在位置に対応した、その位置でのデジタルＴＶ放送の受信状態及びアナログＴＶ放送の受信状態を示す情報が各ＴＶ放送の受信環境として格納される。すなわち、地図データベース３２には、道路地図を示す情報と共に、自車両が現に走行した道路の各地点でのデジタルＴＶ放送の受信環境及びアナログＴＶ放送の受信環境の情報が格納される。
【００２１】
また、ナビゲーションＥＣＵ３４には、上記のＣＰＵ２０が接続されている。ナビゲーションＥＣＵ３４は、検出した自車両の現在位置情報や経路情報をＣＰＵ２０へ供給する。ＣＰＵ２０は、ナビゲーションＥＣＵ３４から供給される自車両の現在位置情報や経路情報と、地図データベース３２に格納されている道路の各地点でのデジタルＴＶ放送の受信環境及びアナログＴＶ放送の受信環境の情報とに基づいて、自車両が今後走行を継続したものとした場合に表示器２８に表示出力すべき放送がデジタルＴＶ放送とアナログＴＶ放送との間で切り替わるのを予測する。
【００２２】
更に、放送受信装置１０は、所定の通信ネットワークに通信接続可能な無線通信機３６を備えている。無線通信機３６には、上記のＣＰＵ２０が接続されている。無線通信機３６は、ＣＰＵ２０からの指令に従って、所定の通信ネットワークに無線通信接続し、その通信ネットワークに通信接続する例えば車両乗員の自宅に設置された放送受信可能な家庭用レコーダ（ＤＶＤレコーダなど）へ、後述の如く自放送受信装置１０で視聴が望まれた放送番組と同一の放送番組を録画・録音すべきことを指示する情報を送信する。
【００２３】
次に、図２乃至図５を参照して、本実施例の放送受信装置１０の動作について説明する。図２は、放送受信装置１０での出力放送がデジタルＴＶ放送とアナログＴＶ放送とで切り替わるのを説明するための図を示す。図３は、デジタルＴＶ放送とアナログＴＶ放送との遅延差を説明するための図であると共に、その遅延差を吸収するための放送受信装置１０における出力放送のデジタルＴＶ放送からアナログＴＶ放送への切り替え時における特徴的な動作を説明するための図を示す。図４は、デジタルＴＶ放送とアナログＴＶ放送との遅延差を説明するための図であると共に、その遅延差を吸収するための放送受信装置１０における出力放送のアナログＴＶ放送からデジタルＴＶ放送への切り替え時における特徴的な動作を説明するための図を示す。また、図５は、本実施例の放送受信装置１０においてＣＰＵ２０が実行する制御ルーチンの一例のフローチャートを示す。
【００２４】
本実施例において、放送受信装置１０は、車両乗員等により視聴を希望する放送チャンネル・放送番組が指定された場合、その放送番組が表示器２８に表示されるようにデジタルＴＶチューナ１２及びアナログＴＶチューナ１４の制御を行う。
【００２５】
ＣＰＵ２０は、上記の如く放送チャンネル・放送番組が指定されると、その指定放送番組に関しデジタルＴＶ放送とアナログＴＶ放送とで同じ時間帯に同じ番組を放送するサイマル放送が行われているか否かを判別する。尚、この判別は、放送波に含まれるサイマル放送の有無情報に基づいて、或いは、予め定められた車両の位置とサイマル放送の有無との関係を参照して車両の現在位置に基づいて行うこととすればよい。
【００２６】
ＣＰＵ２０は、指定放送番組についてサイマル放送が行われていないと判別した場合は、デジタルＴＶチューナ１２又はアナログＴＶチューナ１４に受信されるその指定放送番組のデジタルＴＶ放送又はアナログＴＶ放送が表示器２８に表示出力されるように切替機２６の切り替えを行う。
【００２７】
一方、指定放送番組についてサイマル放送が行われていると判別した場合、通常は、デジタルＴＶチューナ１２に受信されるデジタルＴＶ放送の受信状態及びアナログＴＶチューナ１４に受信されるアナログＴＶ放送の受信状態を判定し、その判定結果に基づいて受信状態の良好なＴＶ放送が表示器２８に表示出力されるように切替機２６の切り替えを行う。具体的には、デジタルＴＶ放送の受信状態（例えば受信率など）が良好であるときは、そのデジタルＴＶ放送が表示器２８に表示出力されるように切替機２６の切り替えを行い、一方、デジタルＴＶ放送の受信状態が劣悪であるときは、アナログＴＶ放送が表示器２８に表示出力されるように切替機２６の切り替えを行う。かかる構成によれば、高品質のデジタル放送を表示出力する機会をできるだけ確保しつつ、ＴＶ放送が全く出力されなくなる期間を少なくすることができる。
【００２８】
ところで、例えば図２に示す如く地点Ａから地点Ｂ，Ｃ，Ｄを経由して地点Ｅへ車両が走行する過程においては、放送受信装置１０での出力放送が、デジタルＴＶ放送が受信されて出力される状態から、デジタルＴＶ放送の受信が不可能になることでアナログＴＶ放送が受信されて出力される状態へ切り替わることとなる。一方、逆に地点Ｅから地点Ｄ，Ｃ，Ｂを経由して地点Ａへ車両が走行する過程においては、放送受信装置１０での出力放送が、アナログＴＶ放送が受信されて出力される状態から、デジタルＴＶ放送の受信が可能になることでデジタルＴＶ放送が受信されて出力される状態へ切り替わることとなる。
【００２９】
尚、図２において、地点Ａ及びＢはデジタルＴＶ放送の受信及びアナログＴＶ放送の受信が共に可能なサイマル放送エリア内にあり、地点Ｄ及びＥはアナログＴＶ放送の受信のみが可能なエリア内にあり、また、地点ＣはデジタルＴＶ放送の受信及びアナログＴＶ放送の受信が共に可能なサイマル放送エリアとアナログＴＶ放送の受信のみが可能なエリアとの境界線上にある。
【００３０】
一般に、デジタルＴＶ放送は、大量の画像データなどを圧縮・エンコードして放送するものであるので、アナログＴＶ放送と比較して、放送局側からの放送が遅延すると共に、デジタルＴＶチューナ１２での受信後、誤り検出・誤り訂正を行ったうえで復調処理を行い利用者へ向けて出力するものであるので、アナログ放送と比較して、受信から再生出力までに多くの時間が必要となり、チューナ１２からの出力遅延が生ずる。このため、上記の如く出力放送がサイマル放送されているデジタル放送とアナログ放送とで切り替わる際に、デジタルＴＶ放送受信可能エリアからアナログＴＶ放送受信可能エリアへ至るときは、出力される放送の番組内容が一部欠落する事態が生じ得（図３（Ａ）及び（Ｂ）参照）、また、アナログＴＶ放送受信可能エリアからデジタルＴＶ放送受信可能エリアへ至るときは、出力される放送の番組内容が一部重複する事態が生じ得る（図４（Ａ）及び（Ｂ）参照）。
【００３１】
これに対して、本実施例の放送受信装置１０において、ＣＰＵ２０は、デジタルＴＶチューナ１２でのデジタルＴＶ放送の受信状態及びアナログＴＶチューナ１４でのアナログＴＶ放送の受信状態を判定するごとに、地図データベース３２に、自車両が現に走行した道路の各地点に対応したデジタルＴＶ放送の受信環境及びアナログＴＶ放送の受信環境の情報を格納する。
【００３２】
また、ＣＰＵ２０は、ナビゲーションＥＣＵ３４から自車両の現在位置情報が供給されると、まず、その現在位置情報と、地図データベース３２に格納されている道路の各地点でのデジタルＴＶ放送の受信環境及びアナログＴＶ放送の受信環境の情報とに基づいて、自車両が今後走行すると予想される地域における放送の受信環境を把握する。そして、自車両が今後走行を継続したものとした場合に表示器２８に表示出力すべき放送がサイマル放送であるデジタルＴＶ放送とアナログＴＶ放送との間で切り替わるのを予測する（ステップ１００）。例えば自車両が近い将来（所定時間後）にサイマル放送エリアとアナログＴＶ放送エリアとの境界位置（図２に示す地点Ｃ）を通過するか否かを予測する。
【００３３】
ＣＰＵ２０は、自車両が図２に示す如く地点Ａから地点Ｃを経由して地点Ｅへ移動するときなど、今後に出力放送がデジタルＴＶ放送からサイマル放送であるアナログＴＶ放送へ切り替わると予測されるとき（ステップ１０２における肯定判定時）には、その切り替えを行う前に、デジタルＴＶチューナ１２に受信されるデジタルＴＶ放送が表示器２８に表示出力されるように切替機２６の状態を保持したうえで、アナログＴＶチューナ１４に受信されるアナログＴＶ放送の映像・音声のデータを保存するようにストレージ２４に指令を発する。この場合には、ストレージ２４に、アナログＴＶチューナ１４に受信されるアナログＴＶ放送の映像・音声のデータが保存される（ステップ１０４）。尚、この際、ストレージ２４への受信データの保存は、デジタルＴＶ放送からアナログＴＶ放送への切り替え前、少なくとも予め規定されるアナログＴＶ放送に対するデジタルＴＶ放送の受信から通常出力までの遅延時間差分だけ前から開始することとすればよい。
【００３４】
ＣＰＵ２０は、その後にデジタルＴＶチューナ１２でのデジタルＴＶ放送の受信状態が所定レベルにまで低下して劣悪なものとなったとき、出力放送がデジタルＴＶチューナ１２に受信されるデジタルＴＶ放送からアナログＴＶチューナ１４に受信されるアナログＴＶ放送へ変化するように切替機２６の切り替えを行う（ステップ１０６）。かかる切り替えを行ったときは、まず、デジタルＴＶ放送とアナログＴＶ放送との受信から通常の出力までの遅延時間差分だけ前にアナログＴＶチューナ１４に受信されてストレージ２４に保存されたアナログＴＶ放送の映像・音声データをそのストレージ２４から読み出して、そのアナログＴＶ放送の表示器２８への表示出力を開始する。そして、その後は、アナログＴＶ放送の表示器２８への表示出力を、当初所定期間は受信されてストレージ２４にデータ保存された放送を車両乗員の視聴にほとんど影響を与えない部分（例えば所定間隔ごとに所定時間だけ）を削除することにより図３（Ｂ）及び（Ｃ）の如く短縮しつつ行い（ステップ１０８）、また、その期間の経過後は受信された放送をそのままストレージすることなく行う。
【００３５】
このように出力放送のデジタルＴＶ放送からアナログＴＶ放送への切り替えによれば、その切り替え時にデジタルＴＶ放送とアナログＴＶ放送との間における受信から通常の出力までに要する時間の遅延差は吸収されることとなるので、放送受信装置１０からの出力放送の番組内容が一部欠落することは回避される。この場合、車両乗員は、出力放送の切り替え時に表示器２８に表示出力される放送番組内容を欠落にない状態で継続して視聴することが可能となる。従って、本実施例の放送受信装置１０によれば、出力放送のデジタルＴＶ放送からアナログＴＶ放送への切り替えを、放送番組内容の継続した視聴を可能にしてタイミングよく適切に行うことが可能となっている。
【００３６】
また、ＣＰＵ２０は、自車両が図２に示す如く地点Ｅから地点Ｃを経由して地点Ａへ移動するときなど、今後に出力放送がアナログＴＶ放送からサイマル放送であるデジタルＴＶ放送へ切り替わると予想されるとき（ステップ１１０における肯定判定時）には、その切り替えを行う前に、アナログＴＶチューナ１４に受信されるアナログＴＶ放送が表示器２８に表示出力されるように切替機２６の状態を保持したうえで、そのアナログＴＶチューナ１４に受信されるアナログＴＶ放送の映像・音声データを保存するようにストレージ２４に指令を発する。この場合には、ストレージ２４に、アナログＴＶチューナ１４に受信されるアナログＴＶ放送の映像・音声のデータが保存される（ステップ１１２）。尚、この際、ストレージ２４への受信データの保存は、アナログＴＶ放送からデジタルＴＶ放送への切り替え前、少なくとも予め規定されるアナログＴＶ放送に対するデジタルＴＶ放送の受信から通常出力までの遅延時間差を後述の如く吸収させるのに必要な時間だけ前から開始することとすればよい。
【００３７】
ＣＰＵ２０は、上記の如きストレージ２４へのデータ保存を行うと同時に、保存されているアナログＴＶ放送の映像・音声データをそのストレージ２４から読み出し、その上でその読み出した映像・音声データに所定間隔ごとに全くデータのない所定時間の空白期間を挿入することによりアナログＴＶ放送を図４（Ｂ）及び（Ｃ）の如く間引きし、その間引きしたアナログＴＶ放送の表示器２８への表示出力を行う（ステップ１１４）。
【００３８】
その後、デジタルＴＶチューナ１２でのデジタルＴＶ放送の受信状態が所定レベルに達することで良好なものとなったとき、出力放送がアナログＴＶチューナ１４に受信されるアナログＴＶ放送からデジタルＴＶチューナ１２に受信されるデジタルＴＶ放送へ変化するように切替機２６の切り替えを行う（ステップ１１６）。かかる切り替えを行った以後は、デジタルＴＶ放送の表示器２８への表示出力を、受信された放送をそのままストレージすることなく行う。
【００３９】
このように出力放送のアナログＴＶ放送からデジタルＴＶ放送への切り替えによれば、その切り替え時にデジタルＴＶ放送とアナログＴＶ放送との間における受信から通常の出力までに要する時間の遅延差は吸収されることとなるので、放送受信装置１０からの出力放送の番組内容が一部重複することは回避される。この場合、車両乗員は、出力放送の切り替え時に表示器２８に表示出力される放送番組内容を重複のない状態で継続して視聴することが可能となる。従って、本実施例の放送受信装置１０によれば、出力放送のアナログＴＶ放送からデジタルＴＶ放送への切り替えを、放送番組内容の継続した視聴を可能にしてタイミングよく適切に行うことが可能となっている。
【００４０】
また、本実施例のシステムにおいては、出力放送がデジタルＴＶ放送とアナログＴＶ放送との間で切り替わることが予測されるときに、両放送の遅延差を吸収することを目的として、アナログＴＶ放送の映像・音声データがストレージ２４に保存される。すなわち、逆に、上記の切り替わりが予測されないときには、データのストレージ２４への保存は行われない。従って、本実施例の放送受信装置１０によれば、デジタルＴＹ放送とアナログＴＶ放送との放送遅延差を吸収する必要のない場所や地域においてはストレージ２４へのデータ保存動作を行わないので、ストレージ２４へのデータ保存動作に伴う電力消費を抑制することができ、また、ストレージ２４の寿命を長期化することが可能となっている。
【００４１】
更に、ＣＰＵ２０は、車両乗員の操作により放送チャンネル・放送番組が指定された際、その指定放送番組のデジタルＴＶ放送又はアナログＴＶ放送が表示器２８に表示出力されるように切替機２６の切り替えを行うが、デジタルＴＶチューナ１２に受信されるデジタルＴＶ放送の受信状態及びアナログＴＶチューナ１４に受信されるアナログＴＶ放送の受信状態が共に劣悪であると判断するときは、まず、無線通信機３６を所定の通信ネットワークに通信接続させる。そして、その通信ネットワークを介して放送受信可能な特定のレコーダ（例えば車両乗員の自宅に設置された家庭用ＤＶＤレコーダなど）へ、自車両の放送受信装置１０で視聴が望まれた放送番組と同一の放送番組を録画・録音すべきことを指示する情報を送信させる。
【００４２】
この場合、車載の無線通信機３６と通信ネットワークを介して通信接続した特定のレコーダは、通信により送られてくる指示情報に従って、その放送受信装置１０で視聴が望まれた放送番組と同一の放送番組の放送を受信して、その番組を録画・録音する。このため、本実施例のシステムによれば、車両に搭載された放送受信装置１０の備えるデジタルＴＶチューナ１２及びアナログＴＶチューナ１４の何れにも所望の放送番組が受信されないときにも、例えば家庭にある放送受信可能なレコーダへその放送番組のレコードが指示されるので、車両乗員が車内で視聴できなかった放送番組を後に家に戻ったときなどに視聴することが可能となる。
【００４３】
尚、上記の実施例においては、デジタルＴＶチューナ１２が特許請求の範囲に記載した「デジタル放送受信機」に、アナログＴＶチューナ１４が特許請求の範囲に記載した「アナログ放送受信機」に、切替機２６が特許請求の範囲に記載した「放送切替手段」に、ストレージ２２，２４が特許請求の範囲に記載した「保存手段」に、無線通信機３６が特許請求の範囲に記載した「通信手段」に、それぞれ相当している。
【００４４】
また、上記の実施例においては、放送受信装置１０のＣＰＵ２０が、図５に示すルーチン中ステップ１０８，１１４の処理を実行することにより特許請求の範囲に記載した「遅延出力手段」が、ステップ１００の処理を実行することにより特許請求の範囲に記載した「切替タイミング予測手段」が、デジタルＴＶチューナ１２及びアナログＴＶチューナ１４の何れにも所望の放送番組が受信されないときに、その放送番組を録画・録音すべきことを指示する情報を無線通信機３６から通信ネットワークを介して放送受信可能な特定のレコーダへ送信させることにより特許請求の範囲に記載した「レコード制御手段」が、それぞれ実現されている。
【００４５】
ところで、上記の実施例においては、デジタルＴＶ放送とアナログＴＶ放送との受信から通常出力までに要する時間の遅延時間差を予め規定するものとしたが、時報タイミングやコマーシャルタイミングでその遅延時間差を算出するものとしてもよい。
【００４６】
また、上記の実施例においては、放送受信装置１０での出力放送がデジタルＴＶ放送とアナログＴＶ放送との間で切り替わることが予測されるときに、両放送の遅延差を吸収することを目的として、アナログＴＶ放送の映像・音声データをストレージ２４に保存したうえで遅延出力させることとしているが、上記の切り替わりが予測されるときに限らず常態的にアナログＴＶ放送のデータをストレージ２４に保存したうえで遅延出力させることとしてもよい。
【００４７】
また、上記の実施例においては、デジタルＴＶ放送とアナログＴＶ放送との遅延時間差に応じて、アナログＴＶチューナ１４に受信されるアナログＴＶ放送のみをストレージ２４へ所定期間データ保存することとしているが、デジタルＴＶチューナ１２に受信されるデジタルＴＶ放送をもストレージ２２へ所定期間データ保存することとしてもよい。
【００４８】
また、上記の実施例は、デジタルＴＶチューナ１２に受信されるデジタルＴＶ放送又はアナログＴＶチューナ１４に受信されるアナログＴＶ放送を選択的に表示器２８に表示出力する放送受信装置１０を用いることとしているが、デジタルラジオチューナに受信されるデジタルラジオ放送又はアナログラジオチューナに受信されるアナログラジオ放送を選択的にスピーカから出力する放送受信装置に適用することとしてもよい。
【００４９】
更に、上記の実施例においては、放送受信装置１０を位置移動し得る車両に搭載するものとしたが、放送受信装置１０を同じく位置移動し得る携帯電話，ＰＤＡ等の携帯端末に搭載するものであってもよい。
【図面の簡単な説明】
【００５０】
【図１】本発明の一実施例である放送受信装置のシステム構成図である。
【図２】放送受信装置での出力放送がデジタルＴＶ放送とアナログＴＶ放送とで切り替わるのを説明するための図である。
【図３】デジタルＴＶ放送とアナログＴＶ放送との遅延差を説明するための図であると共に、その遅延差を吸収するための本実施例の放送受信装置における出力放送のデジタルＴＶ放送からアナログＴＶ放送への切り替え時における特徴的な動作を説明するための図である。
【図４】デジタルＴＶ放送とアナログＴＶ放送との遅延差を説明するための図であると共に、その遅延差を吸収するための本実施例の放送受信装置における出力放送のアナログＴＶ放送からデジタルＴＶ放送への切り替え時における特徴的な動作を説明するための図である。
【図５】本実施例の放送受信装置において実行される制御ルーチンの一例のフローチャートである。
【符号の説明】
【００５１】
１０  放送受信装置
１２  デジタルＴＶチューナ
１４  アナログＴＶチューナ
２０  ＣＰＵ
２２，２４  ストレージ
２６  切替機
２８  表示器
３２  地図データベース
３６  無線通信機
【図１】
2007116559.tif 000003
【図２】
2007116559.tif 000004
【図３】
2007116559.tif 000005
【図４】
2007116559.tif 000006
【図５】
2007116559.tif 000007